【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
ステータ、ロータ、回転軸及びステータとロータとの間のエアギャップを含む永久磁石発電機／モーターであって、前記エアギャップを横切る磁束が本質的に前記回転軸に沿って配向されており、前記ロータがロータ極を形成するために永久磁石（２５）または磁性材料の素子を置くための複数のロケーションを含み、前記発電機／モーターが第一の非磁性円盤（１）、及び複数の磁心（２）を含み、前記磁心（２）が取り付け手段により前記第一円盤（１）に取り付けられており、前記磁心がコイル（６）を含むものにおいて、前記発電機／モーターがステータとロータとの間に多数の磁束分配板を更に含み、前記板が磁性材料から作られていることを特徴とする発電機／モーター。
【請求項２】
磁性材料から作られた内部（２８）及び外部（２９）磁束分配板を含み、前記板が半径方向延長部（３１，３３）を含み、前記内部板の各延長部（３１）が前記外部板の延長部（３３）に隣接し、前記隣接延長部（３１，３３）の各対間にエアギャップ（３４）を持つように、内部板（２８）の延長部（３１）が機械の回転軸に関して半径方向外向きに向いており、かつ外部板（２９）の延長部（３３）が半径方向内向きに向いていることを特徴とする請求項１に記載の発電機／モーター。
【請求項３】
二つの隣接延長部（３１，３３）の縁により形成される前記エアギャップ（３４）の縁が互いに平行であることを特徴とする請求項２に記載の発電機／モーター。
【請求項４】
前記磁束分配板（２８，２９）がロータに取り付けられており、前記延長部（３１，３３）のそれぞれが少なくとも一つの永久磁石ロケーションの面積を覆うことを特徴とする請求項２または３に記載の発電機／モーター。
【請求項５】
前記磁心（２）が、前記コイル（６）が周囲に巻かれる多数の直立脚を含み、前記磁束分配板がステータに取り付けられ、前記延長部（３１，３３）のそれぞれが少なくとも磁心（２）の一つの脚の断面積を覆うことを特徴とする請求項２または３に記載の発電機／モーター。
【請求項６】
前記延長部（３１，３３）の輪郭が二つの直線部（４０）と、前記二つの直線部を連結する円形部（４１）とを含み、二つの隣接延長部（３１，３３）の二つの隣接直線部が互いに平行であり、かつ前記二つの隣接直線部（４０）を横切る前記ロータのいずれの半径に対してもある角度を持つことを特徴とする請求項２から５のいずれか一つに記載の発電機／モーター。
【請求項７】
前記磁束分配板が磁性材料の隣接ストリップを含むことを特徴とする請求項１から６のいずれか一つに記載の発電機／モーター。
【請求項８】
前記磁束分配板（２８，２９）がロータ極に対面する板の部分に、板の全厚を貫通する切り抜き（３７）を含むことを特徴とする請求項７に記載の発電機／モーター。
【請求項９】
別個の磁束分配板がロータ極毎に設けられていることを特徴とする請求項１に記載の発電機／モーター。
【請求項１０】
ステータ、ロータ、回転軸及びステータとロータとの間のエアギャップを含む永久磁石発電機／モーターであって、前記エアギャップを横切る磁束が前記回転軸に沿って本質的に配向され、前記ロータがロータ極を形成するために永久磁石（２５）または磁性材料の素子を置くための複数のロケーションを含み、前記発電機／モーターが第一の非磁性円盤（１）、及び複数の磁心（２）を含み、前記磁心（２）が前記第一円盤（１）に取り付け手段により取り付けられており、前記磁心がコイル（６）を含むものにおいて、前記ロケーションが、ロータ表面に平行なそれらの輪郭が二つの同心的円形部（５０）と前記円形部（５０）の末端点を連結する二つの連結部（５１）とを含み、二つの隣接ロケーションの二つの隣接連結部（５１）が互いに平行であるように、形状付与されていることを特徴とする発電機／モーター。
【請求項１１】
前記磁心（２）を前記第一円盤（１）に取り付けるための前記手段がＬ−異形材（３）とボルト（４，５）を含むことを特徴とする請求項１から１０のいずれか一つに記載の発電機／モーター。
【請求項１２】
ステータの反対側のロータに連結された磁性材料のリング（２７）を更に含むことを特徴とする請求項１から１１のいずれか一つに記載の発電機／モーター。
【請求項１３】
第二の非磁性円盤（８）を更に含み、前記第一と第二円盤間に前記磁心（２）が存在していることを特徴とする請求項１または１０に記載の発電機／モーター。
【請求項１４】
前記コイル（６）が接着により前記磁心に取り付けられていることを特徴とする請求項１または１０に記載の発電機／モーター。
【請求項１５】
第二ステータを更に含み、それが前記ロータの他方側の第一ステータに対向して置かれていることを特徴とする請求項１から１４のいずれか一つに記載の発電機／モーター。
【請求項１６】
前記第二ステータが前記第一ステータに関して前記発電機／モーターの回転軸周りにある角度に渡って回転されていることを特徴とする請求項１５に記載の発電機／モーター。
【請求項１７】
少なくとも一つの電子変換機を更に含み、それが低速では“ブースト−モード”で作動し、高速では整流器として作動することを特徴とする請求項１から１６のいずれか一つに記載の発電機／モーター。
【請求項１８】
ロータが前記ロケーションの全てに永久磁石を含むことを特徴とする請求項１から１７のいずれか一つに記載の発電機／モーター。
【請求項１９】
ロータが前記ロケーションに多数の永久磁石と多数の磁性材料から作られた素子とを含むことを特徴とする請求項１から１７のいずれか一つに記載の発電機／モーター。
【請求項２０】
ロータが、ロータ極の数がステータ極の数と異なるような方式で前記永久磁石ロケーション中に置かれかつ磁性材料から作られた素子のみを含むことを特徴とする請求項１から１７のいずれか一つに記載の発電機／モーター。
【請求項２１】
前記磁心（２）がＵ形状磁心またはＥ形状磁心であることを特徴とする請求項１から２０のいずれか一つに記載の発電機／モーター。
【請求項２２】
積層磁性材料から作られたリング（５２）を更に含み、前記リングが前記ステータの磁心（２）を連結することを特徴とする請求項１から２１のいずれか一つに記載の発電機／モーター。
【手続補正２】
【補正対象書類名】明細書
【補正対象項目名】全文
【補正方法】変更
【補正の内容】
【発明の詳細な説明】
【発明の名称】軸方向磁束永久磁石発電機／モーター
【発明の詳細な説明】
【０００１】
発明の分野
本発明は例えばこの形式の機械がフライホイール中に組み込まれている内燃機関と共に使用するための、軸方向磁束永久磁石発電機／モーターに関する。
【０００２】
技術状態
軸方向磁束永久磁石発電機及びモーターは種々の形で記載されている。それは複数のコイルを含むステータ、及び幾つかの永久磁石を含むロータからなり、そこではステータとロータとの間にエアギャップが存在する。‘軸方向磁束’の表記は常に同じ方式で規定されない。この文章では、表現‘軸方向磁束’はエアギャップを横切る磁束が機械の回転軸に本質的に平行である機械に関する。
【０００３】
この形式の機械に関する最も密接な従来技術は２０００年８月２８−３０日のＩＣＥＭ２０００のＤ．Ｈ．Ｋａｎｇらによる‘Ａｎ  Ａｘｉａｌ  Ｆｌｕｘ  Ｉｎｔｅｒｉｏｒ  ＰＭ  Ｓｙｎｃｈｒｏｎｏｕｓ  Ｍａｃｈｉｎｅ’と題する文献中に開示されている。それは二つのステータを含み、そのそれぞれがリング形状表面の一つから切り抜かれた半径方向スロットを持つ単一中空円筒として作られている。次いでコイルは除去されたスロット間に残された半径方向延長部周りに巻かれる。かかるステータの製造は特に小型シリーズでは複雑でかつ高価である。
【０００４】
発明の目的
本発明は、従来技術に比べて複雑さと費用を減少させながら、この発明による簡略化設計で固有の問題に対する解決策も提供する新しい軸方向磁束永久磁石発電機／モーターを提供することを目的とする。
【０００５】
発明の概要
本発明はステータ、ロータ、回転軸及びステータとロータとの間のエアギャップを含む永久磁石発電機／モーターに関し、そこでは前記エアギャプを横切る磁束が前記回転軸に沿って本質的に配向されており、前記ロータがロータ極を形成するための永久磁石または磁性材料の素子を置くための複数のロケーションを含み、前記発電機／モーターが第一の非磁性円盤及び複数の磁心を含み、前記磁心が取り付け手段により前記第一円盤に取り付けられており、前記磁心がコイルを含むものに関し、前記発電機／モーターは、それがステータとロータとの間に多数の磁束分配板を更に含み、前記板は磁性材料から作られていることを特徴とする。
【０００６】
これらの磁束分配板は各極の前に置かれた別個の板の形であることができる。これに代えて、これらの磁束分配板は磁性材料から作られた内部及び外部磁束分配板として設計されることができ、前記板はステータとロータとの間に存在しており、前記両板は複数の半径方向延長部を含み、内部板の延長部は機械の回転軸に関して半径方向外向きに向いており、かつ外部板の延長部は半径方向内向きに向いており、前記内部板の各延長部は前記外部板の延長部に隣接しており、前記隣接延長部の各対間にエアギャップを持っている。二つの隣接延長部の縁により形成される前記エアギャップの縁は好ましくは互いに平行である。
【０００７】
磁束分配板は前記延長部のそれぞれが少なくとも一つの永久磁石ロケーションの面積を覆うように、ロータに取り付けられることができる。
【０００８】
これに代えて、磁束分配板は前記延長部のそれぞれが少なくとも磁心の一つの脚の断面積を覆うように、ステータに取り付けられることができる。
【０００９】
一実施例によれば、前記延長部の輪郭は二つの直線部、及び前記二つの直線部を連結する円形部を含み、二つの隣接延長部の二つの隣接直線部は互いに平行であり、かつ前記二つの隣接直線部を横切る前記ロータのいずれの半径に対してもある角度をなしている。
【００１０】
この発明による磁束分配板は磁性材料の隣接ストリップを含むことができる。好適実施例によれば、前記磁束分配板はロータ極に対面する板の部分に板の全厚を貫通する切り抜きを含む。
【００１１】
この発明は同様にステータ、ロータ、回転軸及びステータとロータとの間のエアギャプを含む永久磁石発電機／モーターに関し、そこでは前記エアギャップを横切る磁束が前記回転軸に沿って本質的に配向され、前記ロータがロータ極を形成するために永久磁石または磁性材料の素子を置くための複数のロケーション含み、前記発電機／モーターが第一の非磁性円盤と複数の磁心を含み、前記磁心が取り付け手段により前記第一円盤に取り付けられており、前記磁心がコイルを含むものであり、前記発電機／モーターは、ロータがロケーションを含み、それらのロケーションは、ロータ表面に平行なそれらの輪郭が二つの同心的円形部と前記円形部の末端点を連結する二つの連結部とを含み、更に二つの隣接磁石の二つの隣接連結部が互いに平行であるような形状をしていることにより特徴付けられる。
【００１２】
前記磁心を前記第一円盤に取り付けるための前記手段はＬ−異形材とボルトを含むことができる。
【００１３】
この発明による発電機／モーターはステータの反対側のロータに連結された磁性材料のリングを更に含むことができる。このリングはまた、積層された磁性材料から作られることができる。
【００１４】
一実施例によれば、この発明による発電機／モーターは第二の非磁性円盤を更に含み、前記磁心が前記第一と第二円盤との間に存在している。別の実施例によれば、前記コイルは接着により前記磁心に取り付けられている。
【００１５】
この発明による発電機／モーターは第二ステータを更に含むことができ、それは前記ロータの他方側の第一ステータに対向して置かれる。前記第二ステータは、前記第一ステータに関して、前記発電機／モーターの回転軸周りにある角度に渡って回転されることができる。
【００１６】
この発明による発電機／モーターは、低速で“ブースト−モード”で作動し、かつ高速で整流器として作動する少なくとも一つの電子変換機を更に含むことができる。
【００１７】
ロータは前記ロケーションの個々全てに永久磁石を含むことができる。これに代えて、ロータは多数の永久磁石と多数の磁性材料から作られた素子とを含むことができる。
【００１８】
この発明による別の設計では、ロータはロータ極の数がステータ極の数と異なるような方式で、前記永久磁石ロケーション中に置かれかつ磁性材料から作られた素子のみを含むことができる。
【００１９】
ステータ上で使用される磁心はＵ形状磁心またはＥ形状磁心であることができる。
【００２０】
３またはそれ以上の相の機械の場合に、この発明による発電機／モーターは好ましくは前記ステータの磁心を連結する、積層磁性材料から作られたリングを更に含む。
【００２１】
図面の簡略説明
図１はこの発明による部分的に組み立てられたステータの写真を示す。
【００２２】
図２はこの発明による完全なロータの写真を示す。
【００２３】
図３ａと３ｂはこの発明による軸方向磁束発電機／モーターの概観を示す。
【００２４】
図４は図３ａに示されたようなこの発明のステータの第一断面図を示す。
【００２５】
図５は図３ａに示されたようなこの発明のステータの第二断面図を示す。
【００２６】
図６は図３に示されたようなこの発明のロータの断面図を示す。
【００２７】
図７はこの発明の第二実施例によるロータの図を示す。
【００２８】
図８は切り抜きを含む一対の磁束分配板の図を示す。
【００２９】
図９は３またはそれ以上の相の機械の場合のステータ上に設けられることができる積層磁性材料のリングの図を示す。
【００３０】
図１０は二つのステータを含むこの発明の実施例における、一つのステータの他に関する回転を示す。
【００３１】
発明の詳細な記述
本発明は一般的に軸方向磁束永久磁石発電機／モーターのための概念を与え、そこではステータを形成するために多数の磁心２が円盤１の上に取り付けられている。円盤１は好ましくは円形状であるが、この円盤の機能は非磁性材料から作られたどのような板によっても実施されることができる。また、円盤または板１は絶縁材により覆われた磁性材料から作られることもできる。図１の写真は六個のＵ−磁心を含むこの発明による部分的に組み立てられたステータを示す。別個の磁心が用いられているという事実は標準的磁心の使用を可能とし、従って簡単で安価な設計を導く。
【００３２】
しかし、かかる設計を用いる際の主な問題はかかるステータと、ステータ上の磁心に対面して置かれるべきロータとの間のエアギャップの大きな変動にある。ロータは好ましくは機械の回転軸に関して同軸の円上の等しい距離にある、所定の形の多数の永久磁石を含むであろう。大きなエアギャップの変動はそのとき円盤１上の隣接磁心２間に並びに一つの磁心２の脚間に残る大きな開放空間に起因し、二つの隣接極間の切り換え（ｃｈａｎｇｅｏｖｅｒ）を困難とする。本発明はこの問題を機械の回転軸に垂直なエアギャップの断面の全体を横切って最適な方式で磁束を分配するための手段の形に特別の特徴を備えることにより解決する。
【００３３】
これを実施するために、かつ好適実施例によれば、ロータまたはステータはいわゆる‘磁束分配板’を備えており、それらは特にロータとステータ間の軸方向磁束の径路内に置かれた磁性材料から作られた特別な形状をした板であり、かつ切り換え変動が最少に減らされることを可能とする。ロータに取り付けられたときのこれらの板２８，２９の可能な形状が図２に示されている。
【００３４】
更なる実施例によれば、磁束分配の特徴は永久磁石自身を予め規定された方式で形状付与することにより得られる。
【００３５】
この発明の好適実施例の詳細な説明
この発明の機械の好適実施例が図３ａに詳細に示されている。それはロータ上に１２個の円筒状永久磁石２５と磁束分配板２８，２９を備えた１相円盤永久磁石発電機に関する。図３に示された断面図は続く図４から６に示されている。ステータは非磁性材料から作られた円盤１を含み、その上に６個の磁心２が取り付けられている。これらはＵ−形状磁心であり、積層磁性材料から作られた標準的磁心のいずれの形式のものであることができる。それらは円盤１上にボルト４によりかつ磁心２上にボルト５によりボルト止めされた多数のＬ−形状異形材３により円盤１に取り付けられる。磁心２は直立脚が円盤１に対して本質的に垂直であるような方式で取り付けられる。
【００３６】
コイル６は好ましくはコイル巻型７周りに巻かれ、それらが次いで磁心２の直立脚上に置かれる。第二円盤８が好ましくは第一円盤１に対向して付加され、従って両円盤は十分な強度を持つ磁心の把持問題及び磁心内のコイルの詰まりの問題を片付ける。長方形開口がＵ形状磁心の脚の上面９に対応する第二円盤８内に存在する。
【００３７】
第一と第二円盤（１，８）は管２１と組み合わせた一組のボルト２０により一緒に保持される。この組み立て品は次いで追加の組のボルト２３と管２４により静止板２２に取り付けられ、この静止板はその上にこの機械が設置される構造体を示す。
【００３８】
ロータはこの静止板２２と第二円盤８間に配置される。このロータは北極と南極の交互方位を持つ多数の永久磁石２５を含む。この永久磁石は円筒状の形状をしている。ラウドスピーカー磁石のようなこの形式の標準磁石が用いられることができる。磁石は非磁性円盤２６中に取り付けられる。
【００３９】
この非磁性円盤２６の背面に、磁路を作るために、永久磁石が磁性材料のリング２７によって連結されている。ステータに直接対面する表面上に、ロータは二つの磁束分配板２８と２９を備えている。これらは図６と図２の写真に最も良く示されている。図６において、磁石２５は明確化のために目に見えるようにされている。磁束分配板は磁性材料から作られている。各板は磁極の一方の形式（北または南）を覆う半径方向延長部を持つ本質的にリング形状円盤である。内部板２８はボルト３０によりロータ円盤２６に取り付けられ、かつボルト３０が存在している中心リングから外向きに向いている半径方向延長部３１を含む。これらの延長部３１のそれぞれは永久磁石の一形式の完全な面積を覆う。外部板２９は同じくボルト３２によりロータ円盤２６に取り付けられ、かつボルト３２が存在する周辺リングから内向きに向いている半径方向延長部３３を含む。延長部３３は内部板２８により既に覆われている磁石間に残る磁石の面積を覆っている。延長部３１，３３の表面は好ましくはそれらが覆う磁石の表面より大きい。
【００４０】
この好適実施例の延長部の特別な輪郭は二つの直線部４０と本質的にロータと共心の円形部４１とを含むことを見ることができる。直線部４０はロータの半径に沿って配向されておらず、前記直線部を横切るいずれのロータ半径に対してもある一定の角度を持っている。従って、二つの隣接延長部間のエアギャップ３４はロータ半径に対してある一定の角度を持っている。この理由はこの後で説明される。
【００４１】
内部板２８のあらゆる延長部３１は外部板２９の延長部３３に隣接している。これらの磁束分配板間のエアギャップ３４は磁束分配板間のエアギャップを横切る磁束線を避けるために、磁束分配板とステータの磁性材料間のエアギャップより大きい。
【００４２】
これらの磁束分配板の機能はステータの別個のＵ形磁心の使用の結果としての、エアギャップ容積の大きな変動の影響を和らげることであり、そうでなければそれはトルク脈動（ｃｏｇｇｉｎｇ）の問題を導くにちがいない。この目的のためには、延長部３１，３３の面積は、隣接延長部間のエアギャップ３４がロータとステータとの間のエアギャップより大きいことが必要であるという制限を伴って、できるだけ大きくあるべきである。更に、磁束分配板２８と２９間のエアギャップ３４は、トルク脈動に対する更なる方策として、ロータの半径に対してある角度を持つように設計される。この方法により、異なる方位を持つ二つの極間の切り換えが磁束分配板とステータの磁性材料との間のエアギャップ容積の最小変動を持って起こることができる。
【００４３】
ロータ円盤は中心部３５に取り付けられ、この中心部は機械軸に連結されるべきである。この中心部とロータ円盤との間の連結はボルト３６によりなされる。
【００４４】
発明の代替実施例
図３ｂは図３ａに示されたものに本質的に等しいがわずかに修正された実施例を示し、そこでは第二円盤８がボルト２０及び管２１と共に省かれている。この実施例では、磁心上へのコイルの取り付けが他の取り付け手段により、好ましくは磁心２へのコイル６の接着によりなされる。
【００４５】
磁束分配板はロータの代わりに、ロータに対面するステータに取り付けられることができる。同じ形の板がこの場合用いられることができる。ステータ上に置かれたこれらの板により得られる効果は上述の場合と全く同じである。両板の一つの各延長部３１または３３はそのとき少なくとも磁心２の一つの脚の断面積を覆う。
【００４６】
磁束分配板の形は図面に示されたものに限定されない。かかる板の主な特徴はそれが少なくとも一つのロータまたはステータの極の面積を本質的に覆うことである。またロータ極毎に別個の磁束分配板を設けることもできる。
【００４７】
磁石の配置は必然的に一連の交互の北及び南方位の永久磁石に基づかずに、また南方位磁石の群に隣接した北方位磁石の群に基づくこともできる。これは例えばこの発明による３またはそれ以上の相の機械の場合に好ましい。そのとき一つのロータ極は一群の同じ方位の磁石を含む。従ってこの場合、ロータ上に設置された磁束分配板はかかる一群の同じ方位の隣接磁石を覆う、少ない数であるがより大きな延長部３１，３３を持つことができる。これに代えて、それぞれが一つのロータ極を覆う別個の磁束分配板が設置されることができる。
【００４８】
与えられた方式で永久磁石自身に形状を付与することにより磁束は同じ方式で分配されることができる。この効果は磁束分配板２８と２９の半径方向延長部（３１，３３）の形状を持つ磁石を用いることにより得られる。特別な形状をした磁石４５を備えたこの種のロータが図７に示されている。これらの磁石はそのとき非磁性円盤２６中に等しく取り付けられる。磁束分配板はこの実施例では必要ではない。図７の磁石は二つの同心円形部５０と前記円形部の末端点間の二つの連結部５１を持つ。この場合、連結部５１は直線であり、それらはトルク脈動を避けるために、ロータ半径に平行ではない。
【００４９】
一つは磁束分配板を持つ後者の実施例の両者に対して、磁石４５の延長部３１，３３の隣接縁が直線であることは必要ではない。これらの縁はどのような形状をも持つこともできる。しかし、隣接縁が平行であることが好ましい。
【００５０】
それを３またはそれ以上の相の機械に適合させるために、図７のロータは少ない数であるがより大きな磁石４５を含むことができ、それらは等しく部分５０，５１を含むが、それぞれがロータの周囲により大きな空間を取る。
【００５１】
Ｕ形状磁心の代わりに、Ｅ形状磁心が用いられることができる。
【００５２】
図３に示された機械では、場所２５毎に永久磁石を用いる必要はない。第二場所毎に永久磁石で充たされたロータを持つこともできる。これは中実の永久磁石または積層材料から作られた永久磁石であることができる。例えば、図３の左に北極を持つ全ての磁石が磁性材料、好ましくは積層磁性材料から作られた円盤により置き換えられることができる。図６に示されるようにロータ周りの場所２５毎に永久磁石を持つ必要はないので、これらの場所は一般的には‘ロケーション（ｌｏｃａｔｉｏｎ）’と呼ばれてもよく、それは永久磁石によるかまたは永久磁石と同じまたは他の形状の積層磁性材料の素子によるかのいずれかで満たされる。
【００５３】
ロータの背部のリング２７は好ましくは積層材料から形成される。
【００５４】
磁束分配板２８，２９の磁気損失を制限するために、これらの板またはこれらの板の少なくとも一部は好ましくは板の平らな表面に垂直な‘中断’を含む。一般的に、板は互いに隣り合っておりかつそれにより板または板の一部を作り上げる、磁性材料の一連の隣接ストリップを含むと言うことができる。
【００５５】
好適実施例において、板の全厚を貫通しかつ少なくともロータ極に対面する板の部分に設けられる切り抜き３７を形成するために、板は例えばレーザ道具により機械加工される（図８参照）。かかる切り抜き３７のいずれの側の部分もより一般的な説明では‘隣接ストリップ’であると理解される。
【００５６】
３またはそれ以上の相の機械のための特別な設計において、ステータの磁心は磁性材料の層状リングにより磁気的に組み合わされる。図９はステータ上の磁心２の上に置かれるべきである開放空間５３を含むかかる層状リング５２を示す。リング５２は次いで円盤１とコイル巻型７との間に置かれる。
【００５７】
３またはそれ以上の相のシステムのために、機械がロータ上の永久磁石の使用なしに切り換えられた磁気抵抗モーターまたは発電機として作動するように特別なロータ構造が作られることができる。ロータ極の全てがそのとき磁束分配板と同じ効果を作り出すために半径方向延長部３１，３３と同様の特別な設計で、磁性材料、好ましくは積層されたそれの素子により、または上述のような磁束分配板を備えた好ましくは積層された磁性素子により作られることができる。切り換えられた磁気抵抗機のためにはロータの極数はステータの極数と異なる。ロータの平衡位置（最少磁気抵抗）は異なるステータ極の交互励磁により回転する。
【００５８】
またロータの前面のステータ構造をロータの各側に一つを持つ二つの同じステータ構造により置き換えることによりツイン型の機械を作ることができる。この設計のためには、ロータはその背面側に磁気リング２７を必要としない。なぜなら磁路はステータの磁心によりロータの各側で既に閉じられているからである。しかしこの構造のために磁束分配板２８，２９または特別に設計された永久磁石がロータの両側に存在しなければならない。好適実施例によれば、図１０に示されるように、ステータは回転軸周りに、互いに関してある角度に渡って回転される。これはトルク脈動を減らすために好ましい。
【００５９】
もし電子変換機が使用されているなら、機械は制御された出力電圧を発生することしかできない。変換機は低速では“ブースト−モード”でかつ高速では整流器として作動する。３相構造に対しては、機械がモーターとして使用されるとき電子変換機はモーター制御の追加の機能を持つ。
【００６０】
それぞれが１相出力の３つの電子変換機を用いることにより１層構造により３相出力を発生することができる。
【００６１】
機械の重量を減らすために、ステータのコイル６を銅線の代わりにアルミニウム箔により作ることができる。
【図面の簡単な説明】
【００６２】
【図１】この発明による部分的に組み立てられたステータの写真を示す。
【図２】この発明による完全なロータの写真を示す。
【図３ａ】この発明による軸方向磁束発電機／モーターの概観を示す。
【図３ｂ】この発明による軸方向磁束発電機／モーターの概観を示す。
【図４】図３ａに示されたようなこの発明のステータの第一断面図を示す。
【図５】図３ａに示されたようなこの発明のステータの第二断面図を示す。
【図６】図３に示されたようなこの発明のロータの断面図を示す。
【図７】この発明の第二実施例によるロータの図を示す。
【図８】切り抜きを含む一対の磁束分配板の図を示す。
【図９】３またはそれ以上の相の機械の場合のステータ上に設けられることができる積層磁性材料のリングの図を示す。
【図１０】二つのステータを含むこの発明の実施例における、一つのステータの他に関する回転を示す。